(57)【要約】【課題】３段式のスライドレールを用いた電子機器のラックへの実装を作業者が安全に容易に行えるようにする。【解決手段】固定物に取り付けられるアウターレール１１と、固定物から引き出される電子機器に取り付けられるインナーレール１３と、アウターレール１１に対して前後方向にスライドすると共にインナーレール１３を上下方向から保持する上側及び下側の側壁部１３Ｂを有する中間レール１２とを備えるスライドレール１０において、インナーレール１３の奥側に平板状の本体部１３Ａを形成し、本体部１３Ａの先端部にはローラ１４を取り付け、中間レール１２の上側の側壁部１２Ｂには、中間レール１２の端面から奥側にローラ１４を挿通することができるローラ導入口１２ａを設ける。インナーレール１３を取り付けた電子機器は、ローラ１４をローラ導入口１２ａに引っ掛けてからラックに実装する。【選択図】図８
2011159716.tif 000002
【特許請求の範囲】
【請求項１】
固定物に取り付けられるアウターレールと、前記固定物に対してスライドして移動する移動体に取り付けられるインナーレールと、前記アウターレールに対して前後方向にスライドすると共に前記インナーレールを前後方向にスライド可能にして上下方向から保持する上側及び下側の側壁部を有する中間レールとを備えるスライドレールにおいて、
前記インナーレールの後端部側の部分に平板状の平板状部を形成すると共に、該平板状部には、前記中間レール側に突出し、且つ前記中間レールに対して係合すると共にスライド可能な膨出部を形成し、
前記中間レールの上側の前記側壁部には、先端部側の端面から所定距離だけ離れた部分に前記膨出部を挿通可能な切欠部を設けたことを特徴とするスライドレール。
【請求項２】
前記中間レールの前記切欠部の先端部側の端部から前記中間レールの先端ぶまでの前記上側の側壁部の長さは、前記中間レールに挿入された前記膨出部の先端部への移動時に上方への移動を阻止できる長さとしたことを特徴とする請求項１に記載のスライドレール。
【請求項３】
前記中間レールの先端部には、前記中間レールに挿入された前記膨出部の前記中間レールからの先端方向への抜けを防止するストッパが形成されていることを特徴とする請求項１又は２に記載のスライドレール。
【請求項４】
前記膨出部は前記平板状部に突設された回転軸を中心にして回転可能なローラであることを特徴とする請求項１から３の何れか１項に記載のスライドレール。
【請求項５】
固定物に取り付けられるアウターレールと、前記固定物に対してスライドして移動する移動体に取り付けられるインナーレールと、前記アウターレールに対して前後方向にスライドすると共に、前記インナーレールを前後方向にスライド可能に上下方向から保持する上側及び下側の側壁部を有する中間レールとを備えるスライドレールにおいて、
前記インナーレールは、前記中間レールの上側及び下側の側壁部間をスライド可能で前記中間レールよりも短いレール部と、前記中間レールの前記上側及び下側の側壁部間をスライド可能で前記レール部とは別体の、回転可能なローラを備えたローラ部とから構成し、
前記中間レールの上側の前記側壁部には、先端部側の端面から所定距離だけ離れた部分に前記ローラを挿通可能な切欠部を設け、
使用時には、前記インナーレールの前記レール部を前記移動体の前端部側に取り付けると共に、前記インナーレールの前記ローラ部を、前記インナーレールの軸線上の前記移動体の後端部側に取り付けることを特徴とするスライドレール。
【発明の詳細な説明】
【技術分野】
【０００１】
本出願はスライドレールに関する。以下に説明される実施の形態では、実施例としてインナーレール、中間レール、及びアウターレールの３つのレールを備える３段式のスライドレール（３段引きスライドレールとも呼ばれる）が説明される。
【背景技術】
【０００２】
近年、電子機器においては高密度化による小型化が進み、自立専用架型から１９インチラック（棚）等の汎用ラック搭載型へと実装形態が変化してきている。１９インチラックには、電子機器を取り付けるためのマウントレールと呼ばれる支柱があり、電子機器の種類によって取り付け方法が異なっている。このうち、奥行が長い電子機器では、ラックに電子機器を実装したり、ラックから電子機器を取り外すために、スライドレールに電子機器が取り付けられる。
【０００３】
ところで、電子機器の一種であるサーバーは近年、薄型化と高機能化が進んでいるためにその奥行が長くなってきている。このため、サーバー本体を収納し、固定する役目を持ったサーバーラックの奥行も長くなり、サーバーの引き出しレールも２段でスライドさせるタイプから３段でスライドさせる３段式のスライドレールが増えている。３段式のスライドレールについては、特許文献１に開示がある。また、多数のサーバーをサーバーラックに実装するために、サーバーラックの高さは２ｍを越えるものもある。
【０００４】
このように、数多くのサーバーを実装するサーバーラックはマウント型サーバーラックと呼ばれ、サーバーラックに固定して使用することを前提に設計されたラックマウントサーバーやブレードサーバーが実装される。また、サーバーラックには、サーバーと同時に、ルータやスイッチ、ロードバランサといったネットワーク機器、ＵＰＳ（無停電電源装置）やＰＤＵ（分電盤）といった電源関連装置等のサーバー関連機器を実装することもある。
【０００５】
図１（ａ）から（ｄ）は従来の代表的な３段式のスライドレール９の構成を示すものである。以後、３段式のスライドレールは、単にスライドレールと記す。図１（ａ）は各レールが実装された状態を正面から見たもの、（ｂ）は（ａ）に示したスライドレール９が伸長した状態を正面から見たもの、（ｃ）は（ｂ）に示したスライドレール９からインナーレール３を取り出した状態を正面から見たものである。また、（ｄ）は（ａ）に示したスライドレール９を側面から見たものである。スライドレール９は、アウターレール１、中間レール２、及びインナーレール３の、３つのレールから構成される。アウターレール１は固定物に取り付けられる固定レールであり、インナーレール３は固定物から引き出される移動体に取り付けられる。そして、中間レール２はアウターレール１から引き出されるインナーレール３の引き出し長さを増やすために、アウターレール１とインナーレール３の間に設けられる。
【０００６】
アウターレール１、中間レール２、及びインナーレール３の長さは略同じ、またはこの順に次第に短くなり、アウターレール１に中間レール２とインナーレール３を収納すると、図１（ａ）に示すように、全体の長さはアウターレール１の長さＷを越えない。また、インナーレール３は後述するロック機構を解除することにより、図１（ｃ）に示すように中間レール２から取り外すことができる。アウターレール１と中間レール２の間、及び中間レール２とインナーレール３の間には、図１（ｄ）に示すようにボールベアリング５が配置されており、各レール間に配置されたボールベアリング５によって各レールがスムーズにスライド動作する。ボールベアリング５を構成する各ボールはボールリテーナ４によってアウターレール１と中間レール２から外れないようになっている。この他にもボールベアリング５を使わない板金だけの簡易型レールもある。
【０００７】
図２（ａ）は、図１（ａ）〜（ｄ）に示したスライドレール９のインナーレール３を電子機器６（この例ではサーバー）の側面に取り付ける様子を説明するものである。インナーレール３はネジ６ａによって電子機器６の側面に水平に、かつ互いに平行に取り付けられる。また、電子機器６がサーバーである場合、サーバー６はサーバーラック７に多段に渡って取り付けられる。図２（ｂ）はサーバー６をサーバーラック７に取り付ける様子を説明するものである。サーバーラック７には４本のラックの柱７ａがあり、柱７ａには中間レールをスライド可能に内蔵するアウターレール１が取り付けられている。図２（ｂ）には１段しか示していないが、アウターレール１は柱７ａの高さ方向に何段にも渡って取り付けられている。サーバー６をラック７に取り付ける場合は、サーバー６の両側に取り付けられたインナーレール４を水平位置にし、インナーレール４の後端部３ｅを左右同時に中間レール２の差込口２ａにまっすぐに差し込む。
【０００８】
なお、以後の説明では、スライドレールからインナーレールを引き出す側を先端部側とし、先端部側の反対側を後端部側、或いは奥側と記す。
【０００９】
ここで、インナーレール３の中間レール２とのロック機構について説明する。図３（ａ）は、スライドレール９の中間レール２とインナーレール１に設けられたロック機構を示すものであり、図３（ｂ）は図３（ａ）の長手方向の断面を示すものである。中間レール２の先端部側の端部には、インナーレール３側に突出するロック突起２ｂが設けられている。一方、インナーレール３の先端部側の中間レール２との対向面には、ロックアーム８が設けられている。ロックアーム８はその基部側が溶接等によりインナーレール３に固着されており、自由端側が揺動可能になっている。ロックアーム８の中間部にはロック孔８ａが設けられており、自由端部には鉤状に折り曲げられた鉤状部８ｂがある。鉤状部８ｂは図３（ｂ）に示すようにインナーレール３から浮いた位置にある。また、そして、鉤状部８ｂに対向するインナーレール３には鉤状部８ｂの逃げ孔３ｃが形成されている。
【００１０】
インナーレール３を中間レール２に対して奥側に押し込んでいく場合、或いは中間レール２内に収納されたインナーレール３を中間レール２から引き出す場合、図３（ｃ）に示すように、ロックアーム８のロック孔８ａに中間アーム２のロック突起２ｂが入り込む。すると、この状態ではインナーレール３は中間レール２に対して動けなくなる、即ち、ロックされる。中間レール２とインナーレール３のロックを解除するためには、図３（ｄ）に示すように、手でロックアーム８の先端部を押し、鉤状部８ｂをインナーレール３の逃げ孔３ｃに没入させる。この操作により中間レール２とインナーレール３とのロックが解除され、インナーレール３が中間レール２に対してスライド可能となり、中間レール２から取り外すことができる。
【先行技術文献】
【特許文献】
【００１１】
【特許文献１】特開２０００−１３９５９６号公報（図３、図４）
【発明の概要】
【発明が解決しようとする課題】
【００１２】
ところで、以上のように構成された従来のスライドレール９では、図４（ａ）、（ｂ）に示すように、電子機器６に取り付けられたインナーレール３をラックの高い位置にある中間レール２に差し込む場合がある。ところが、このような場合は、電子機器６を持ち上げてインナーレール３と中間レール２を平行に保ちつつ、左右のインナーレール３を左右の中間レール２のインナーレール差込口２ａに位置合せした状態で、同時に差し込む必要があった。
【００１３】
インナーレール３は左右同じ物であり、長さが同じでかつ、中間レール２の差込口２ａにガイドになるものも無いために、左右同時に差し込むのはかなり困難であった。また、インナーレール３を取り付けた電子機器６の重量が重かったりすると、一人作業では電子機器６を持つ手が震え、インナーレール３を中間レール２に容易に嵌め込む事が困難であった。特に、サーバー６をラック７の高所へ実装する場合は、作業者が無理な姿勢で水平を保とうとするとバランスを崩し、電子機器６が落下したり、作業者が手首を傷める事があった。又、インナーレール３を取り付けた電子機器６をラック７から抜く時に、インナーレール３がいつ中間レール２から外れるのかが判りにくく、電子機器６の全荷重が突然に作業者の腕や手首に加わり、電子機器６を落下させると作業者が怪我をする原因にもなっていた。
【００１４】
そこでこの出願は、電子機器をラックの上段部へ実装する場合でも、作業者が無理な体勢や脚立を使っての不安定な体制で作業を行うことが無く、電子機器をラックへ安全且つ容易に実装することが可能なスライドレールを提供することを目的としている。また、電子機器をラックから取り出す時にも、安全に電子機器をラックから取り出すことができるスライドレールを提供することを目的としている。
【課題を解決するための手段】
【００１５】
前記目的を達成する本出願の第１の形態のスライドレールは、固定物に取り付けられるアウターレールと、固定物に対してスライドして移動する移動体に取り付けられるインナーレールと、アウターレールに対して前後方向にスライドすると共にインナーレールを前後方向にスライド可能にして上下方向から保持する上側及び下側の側壁部を有する中間レールとを備えるスライドレールにおいて、インナーレールの後端部側の部分に平板状の平板状部を形成すると共に、平板状部には、中間レール側に突出し、且つ中間レールに対して係合すると共にスライド可能な膨出部を形成し、中間レールの上側の側壁部には、先端部側の端面から所定距離だけ離れた部分に膨出部を挿通可能な切欠部を設けたことを特徴としている。
【００１６】
前記目的を達成する本出願の第２の形態のスライドレールは、固定物に取り付けられるアウターレールと、固定物に対してスライドして移動する移動体に取り付けられるインナーレールと、アウターレールに対して前後方向にスライドすると共に、インナーレールを前後方向にスライド可能に上下方向から保持する上側及び下側の側壁部を有する中間レールとを備えるスライドレールにおいて、インナーレールは、中間レールの上側及び下側の側壁部間をスライド可能で中間レールよりも短いレール部と、中間レールの上側及び下側の側壁部間をスライド可能でレール部とは別体の、回転可能なローラを備えたローラ部とから構成し、中間レールの上側の側壁部には、先端部側の端面から所定距離だけ離れた部分にローラを挿通可能な切欠部を設け、使用時には、インナーレールのレール部を移動体の前端部側に取り付けると共に、インナーレールのローラ部を、インナーレールの軸線上の移動体の後端部側に取り付けることを特徴としている。
【発明の効果】
【００１７】
本出願のスライドレールによれば、電子機器をラックの上段部や下段部に実装する場合でも、作業者が無理な体勢や脚立を使っての不安定な体制で作業を行うことが無く、電子機器をラックへ安全且つ容易に実装することが可能となる。また、電子機器をラックから取り出す時にも、スライドレールの動作が分かるので、電子機器の全荷重が突然作業者の腕や手首に加わることがなくなり、電子機器の落下や、電子機器の落下に起因する作業者の怪我をなくすことができる。
【図面の簡単な説明】
【００１８】
【図１】（ａ）は従来のスライドレールにおいて各レールが収納された状態を示す正面図、（ｂ）は（ａ）に示したスライドレールが伸長した状態を示す正面図、（ｃ）は（ｂ）に示したスライドレールからインナーレールを取り出した状態を示す正面図、（ｄ）は（ａ）に示したスライドレールの側面図である。
【図２】（ａ）は図１（ａ）〜（ｄ）に示したスライドレールのインナーレールを電子機器の側面に取り付ける様子を説明する組立斜視図、（ｂ）は電子機器の側面に取り付けられたインナーレールを、ラックに固定されたスライドレールの中間レールに挿入する様子を示す斜視図である。
【図３】（ａ）はスライドレールの中間レールとインナーレールに設けられたインナーレールのロック機構を示す斜視図、（ｂ）は（ａ）に示したスライドレールの長手方向の断面図、（ｃ）は（ｂ）に示したインナーレールのロック機構のロック動作を示す図、（ｄ）は（ｃ）に示したインナーレールのロック機構のロック解除動作を説明する図である。
【図４】（ａ）は図１、図２に示したスライドレールを用いて、電子機器をサーバーラックに実装する作業を示す図、（ｂ）は（ａ）の作業を作業員の背面側から見た図である。
【図５】（ａ）は本出願の第１の形態のスライドレールのアウターレールと中間レールの構造を示す上面図、（ｂ）は（ａ）に示したスライドレールのアウターレールと中間レールの構造を示す正面図、（ｃ）は（ｂ）のＡ−Ａ線における断面図、（ｄ）は（ｂ）に示した中間レールをＢ方向から見た図である。
【図６】（ａ）は本出願のスライドレールのインナーレールの構造を示す上面図、（ｂ）は（ａ）に示したスライドレールのインナーレールの構造を示す正面図、（ｃ）は（ｂ）のＣ−Ｃ線における断面図、（ｄ）は（ｂ）は（ａ）に示したスライドレールのインナーレールの後端部に取り付けるローラがインナーローラに固定されている場合の（ｃ）と同じ部位の断面図、（ｅ）は本出願のスライドレールの一実施例の構成を示す側面図、（ｆ）は本出願のスライドレールの別の実施例の構成を示す側面図である。
【図７】（ａ）は図６（ａ）〜（ｃ）に示したスライドレールのインナーレールを電子機器の側面に取り付ける様子を説明する組立斜視図、（ｂ）は（ａ）のようにしてスライドレールのインナーレールを取り付けた電子機器の上面図である。
【図８】（ａ）は図５、図６に示したインナーレール、中間レール、及びアウターレールを組み合わせた状態の本出願のスライドレールの上面図、（ｂ）は（ａ）のスライドレールの正面図、（ｃ）は（ｂ）に示したインナーレールを最大限に引き出した時の中間レールに対する動作を説明する部分正面図である。
【図９】（ａ）から（ｅ）は図７（ｂ）に示した電子機器をラックの高い位置に実装する場合の作業者の一連の動作を説明する取り付け作業図、（ｆ）と（ｇ）は（ａ）の状態でインナーレールのローラを中間レールに挿入する時のローラと中間レールとの結合動作を説明する側面図である。
【図１０】（ａ）から（ｅ）は図７（ｂ）に示した電子機器をラックの低い位置に実装する場合の作業者の一連の動作を説明する取り付け作業図である。
【図１１】（ａ）は本出願のスライドレールの第１の変形例の構成を示す正面図、（ｂ）は（ａ）に示した中間レールのインナーレールのローラに対する機能を示す説明図、（ｃ）は（ａ）のスライドレールに本出願のインナーレールを取り付けた電子機器を取り付ける状態を説明する説明図、（ｄ）は（ａ）に示した中間レールのインナーレールのローラに対する実際の動作を示す説明図である。
【図１２】（ａ）は本出願のスライドレールの第２の変形例の構成を示す部分正面図及び部分拡大図、（ｂ）は（ａ）に示した中間レールのインナーレール取り付け時のローラに対する機能を示す説明図、（ｃ）は（ａ）に示した中間レールのインナーレール取り外し時のローラに対する機能を示す説明図である。
【図１３】（ａ）は本出願の第２の形態のスライドレールのアウターレールと中間レールの構造を示す上面図、（ｂ）は（ａ）に示したスライドレールのアウターレールと中間レールの構造を示す正面図、（ｃ）は本出願の第２の形態のスライドレールのインナーレールの構造を示す上面図、（ｂ）は（ａ）に示したスライドレールのインナーレールの構造を示す正面図、（ｅ）は（ｂ）に示したスライドレールのアウターレールと中間レールの側面図、（ｆ）は（ｂ）のＤ−Ｄ線における断面図、（ｇ）は（ｄ）に示したスライドレールのインナーレールの側面図である。
【図１４】（ａ）は本出願の第３の形態のスライドレールのインナーレールとローラの構造を示す斜視図、（ｂ）は（ａ）に示したインナーレールとローラを奥行の短い電子機器に取り付けた場合のラックへの取り付けを説明する説明図、（ｃ）は（ａ）に示したインナーレールとローラを奥行の長い電子機器に取り付けた場合のラックへの取り付けを説明する説明図である。
【発明を実施するための形態】
【００１９】
以下、添付図面を用いて本出願の実施の形態を、具体的な実施例に基づいて詳細に説明する。なお、図１から図３で説明した従来のスライドレール９と同じ構成部材については同じ符号を付して説明することがある。また、以後の説明でもスライドレールの引き出し側をスライドレールの先端部側、先端部側と反対方向を奥側、又は後端部側として説明する。
【００２０】
図５（ａ）から（ｄ）は、本出願の第１の実施例のスライドレールのアウターレール１１と中間レール１２の構造を示すものである。図５（ａ）はアウターレール１１と中間レール１２を上側から見たものであり、図５（ｂ）は図５（ａ）に示したアウターレール１１と中間レール１２を正面側から見たものである。また、図５（ｃ）は図５（ｂ）のＡ−Ａ線における断面図、図５（ｄ）は図５（ｂ）の中間レール１２を側面から見たものである。
【００２１】
アウターレール１１は、図１に示した従来のスライドレール９のアウターレール１と同じ形状で良く、変更点はない。よって、アウターレール１１は平板状の本体部１１Ａと、中間レール１２をスライド保持するためのガイドとなる側壁部１１Ｂとを備えている。また、側壁部１１Ｂの内側にはボールベアリングがボールリテーナによって取り付けられることも同様である。一方、中間レール１２は、図１に示した従来のスライドレール９の中間レール２とほぼ同じ形状であり、波板状の本体部１２Ａとインナーレール１３をスライド保持するためのガイドとなる側壁部１２Ｂとを備えている。また、側壁部１２Ｂの内側にはボールベアリング５が図示しないボールリテーナによって取り付けられる。
【００２２】
この実施例の中間レール１２が従来の中間レール２と異なる点は、上側の側壁部１２Ｂの先端部側に、後述するローラが入る大きさの切り欠きであるローラ導入口１２ａが設けられている点である。中間レール１２に設けられたローラ導入口１２ａは、図５（ｄ）に示す中間レール１２の上側の側壁部１２Ｂの一部が、図５（ｃ）に示すように切り欠かれて形成される。ローラ導入口１２ａの長さＬは、後述するローラの直径φよりも長い。ローラ導入口１２ａが設けられる位置は、中間レール１２の端部から所定長さ、例えば後述するローラの直径と同程度の長さだけ離れた位置である。
【００２３】
更に、ローラがローラ導入口１２ａから中間レール１２内に入り、先端部側に移動させた時にインナーレール１３が抜けて、インナーレール１３が取り付けられた電子機器が落下するのを防止するために、中間レール１２の先端部にはローラストッパ１２ｂがある。ローラストッパ１２ｂは、インナーレール１３を挿入する際にインナーレール１３と干渉しない位置と大きさである。
【００２４】
図６（ａ）から（ｆ）は、この実施例のスライドレールに用いられるインナーレール１３だけの構造を示すものである。図６（ａ）はインナーレール１３を上側から見たものであり、図６（ｂ）はインナーレール１３を正面側から見たものである。また、図６（ｃ）は図６（ｂ）のＣ−Ｃ線における断面を示しており、図６（ｅ）は図６（ａ）、（ｂ）のインナーレール１３が、図５（ａ）から（ｄ）に示したアウターレール１１と中間レール１２と組み合わされたスライドレール１０を側面から見たものである。
【００２５】
この実施例のインナーレール１３にも、図１（ｄ）に示した従来のインナーレール３と同様に、平板状の本体部１３Ａと、本体部１３Ａの両側に設けられた側壁部１３Ｂがあるが、側壁部１３Ｂはインナーレール１３の後端部側には設けられていない。側壁部１３Ｂの長さは、例えば、中間レール１２からインナーレール１３を引き出した時に、インナーレール１３が中間レール１２によってロックされる位置で、側壁部１３Ｂが中間レール１２の側壁部１２Ｂによって完全に保持される長さとすることができる。インナーレール１３の後端部側は本体部１３Ａのみであり、この実施例では本体部１３Ａの後端部に突設された回転軸１５にローラ１４が軸支されている。また、インナーレール１３の本体部１３Ａには、インナーレール１３を電子機器に固定するための取付穴１３ａが複数個設けられている。
【００２６】
ローラ１４の外周部は、インナーレール１２の側壁部１２Ｂの外周と同じ形状となっており、図６（ｅ）に示すように中間レール１２にローラ１４が挿入された後に、ボールベアリング５にフィットする形状を持つ。ローラ１４は、図６（ｃ）に示すように中空であり、回転軸１５に挿入された後にナット１６等で回転軸１５に対して回転可能に取り付けられる。回転軸１５へのローラ１４の取り付けは、ナット１６の他にもハトメやネジ固定等、ローラ１４が回転軸１５から外れない構造であれば特に限定されるものではない。また、ローラ１４は、耐久性を考慮し金属または樹脂製とすれば良い。なお、ローラ１４はこの実施例のように回転軸１５を中心に回転させても良いが、図６（ｄ）に示すように、ローラ１４と同形状の円板１４Ａをインナーレール１２の本体部１３Ａに固定しても構わない。
【００２７】
また、インナーレール１２の先端部に固定するのは円板１４Ａでなくとも、何らかの突起であっても良い。この突起は電子機器の装置重量が掛かっても変形、破損しない強度を持っていればインナーレールと一体形成でき、更にコストパフォーマンスが向上する。
【００２８】
ローラ１４の役目は、単に中間レール１２の中をインナーレール１３がスムーズにスライドするためだけではなく、ローラ１４を図５（ｂ）に示したローラ導入口１２ａから中間レール１２内に入れてインナーレール１３を中間レール１２に係合させることである。そして、ローラ１４を介してインナーレール１３を中間レール１２に係合させた場合は、ローラ１４を中心にしてインナーレール１３を中間レール１２に対して揺動させることができる。この動作については後述する。従って、この実施例では、インナーレール１３を中間レール１２に係合させた場合、図６（ｅ）に示すように、インナーレール１３のローラ１４の取付面と中間レール１２の側壁部１２Ｂの頂面との間には隙間Ｓが必要である。なお、中間レール１２の側壁部１２Ｂの頂面を低くできない場合は、図６（ｆ）に示すように、インナーレール１３のローラ１４の取付面とローラ１４の間にスペーサ１７を入れて、前述の隙間Ｓを形成することができる。
【００２９】
図７（ａ）は、図６（ａ）〜（ｃ）に示したインナーレール１３を、電子機器（この実施例ではサーバー）６の側面に取り付ける様子を説明するものである。インナーレール１３はネジ６ａによって電子機器６の側面に水平に、かつ互いに平行に取り付けられる。この場合、インナーレール１３のローラ１４が電子機器６の後端部側に取り付けられる。図７（ｂ）は図７（ａ）のようにしてインナーレール１３が取り付けられた電子機器６を、上側から見た状態を示している。ローラ１４は電子機器６の左右の後端部から同じ距離の位置にあり、対向している。
【００３０】
図８（ａ）から（ｃ）は図５、図６で説明したアウターレール１１、中間レール１２、及びインナーレール１３を組み合わせて形成される本実施例のスライドレール１０の全体構成を示すものである。図８（ａ）はスライドレール１０を上側から見たものであり、図８（ｂ）はスライドレール１０を正面側から見たものであり、図８（ｃ）は図８（ｂ）に示したインナーレール１３を最大限に引き出した時の、中間レール１２に対する動作を示している。中間レール１２からインナーレール１３を最大限に引き出す場合には、図３で説明したロックアームのロック解除動作を行う必要がある。中間レール１２からインナーレール１３を最大限に引き出した場合は、ローラ１４が中間レール１２のローラストッパ１２ｂによって係止された状態で、インナーレール１３を中間レール１２に対して揺動させることができる。
【００３１】
ここで、この実施例のスライドレールを用いて電子機器をラックに実装する手順を説明する。この実施例のスライドレールを用いて電子機器をラックに実装する場合は、ラックに取り付けられたスライドレールから、インナーレールのみが取り出される。取り出されたインナーレールは、図７で説明したように、電子機器の両側面に取り付けられる。
【００３２】
まず、電子機器をラックの高い位置に実装する場合について図９（ａ）から（ｇ）を用いて説明する。この場合は、図９（ａ）に示すように、ラック７に取り付けられたアウターレール１１から左右の中間レール１２を引き出しておく。この状態で作業者が電子機器６の前端部側を持って後端部側を上方に持ち上げ、ローラ１４を中間レール１２のローラ導入口１２ａに引掛けて、図９（ｆ）、（ｇ）に示すように、ローラ１４を中間レール１２の内部に挿入する。そして、ローラ１４を中間レール１２内で、図８（ｃ）で説明したようにローラストッパ１２ｂに当接するまで移動させる。この状態が図９（ｂ）に示す状態であり、電子機器６はローラ１４を中心にして中間レール１２に対して揺動できる。
【００３３】
この状態で電子機器６の先端部側を持ち上げ、図９（ｃ）に示すように、電子機器６が中間レール１２と平行になったら、平行を保ちながら電子機器６を奥側へ押し込んでいく。すると、図９（ｄ）に示す位置辺りでロックアームによるロックが掛かる。この動作は従来品と同様である。これによりインナーレール１３はこれ以上動かなくなる。この状態でロックを解除して更に電子機器６をラック７に対して押し込んでいくと、図９（ｅ）に示す位置で電子機器６のラック７への実装作業が完了する。
【００３４】
電子機器６をラック７から取り出す場合は、図９（ａ）から（ｅ）に示す作業の逆を行えば良い。この場合は、図９（ｄ）に示す位置でロックがかかり、電子機器６がこれより前方には引き出せなくなる。この時点ではまだインナーレール１３の側壁部は中間レール１２の側壁部に係合しているので、電子機器６の重量はスライドレール１０によって保持されている。この後、前述のロック解除動作を行って、電子機器６を更に引き出すと、インナーレール１３の側壁部が中間レール１２の側壁部による保持から外れ、インナーレール１３はローラ１４のみによって保持される。この時、電子機器６の装置重量は作業者の腕に掛かるが、まだローラ１４が電子機器６の後端部側を保持してくれているため、急激な負荷荷重が作業者の腕に掛かる心配は無い。
【００３５】
更に電子機器６を手前に引くとローラストッパ１２ｂにローラ１４が当たるため、この時点で電子機器６を作業者が持ち易い角度に回転させる。そして、作業者の体勢を整えてから電子機器６の装置重量を感じつつ、電子機器６をやや後方上部へ持ち上げながらローラ１４をローラ導入口１２ａから引き出せば、電子機器６をラックから取り外すことができる。
【００３６】
このように、ラック７の高い所に重い電子機器６を一人で実装する場合でも、この実施例のスライドレール１０を使用すれば、安全且つ容易に実装作業を行うことができる。また、電子機器６を持ち上げる事によってインナーレール１３を中間レール１２から外すことができる。このため、従来のように電子機器６を下ろす際に、インナーレール１３が中間レール１２から急に外れて一気に電子機器６の装置重量が作業者の腕や手首にかかることが無くなり、電子機器６が落下する危険性や、落下による作業者の怪我を防止することができる。
【００３７】
次に、電子機器をラックの低い位置に実装する場合について図１０（ａ）から（ｅ）を用いて説明する。この場合は、図１０（ａ）に示すように、ラック７に取り付けられたアウターレール１１から左右の中間レール１２を引き出しておく。この状態で作業者が電子機器６の後端部を下に下げ、ローラ１４を中間レール１２のローラ導入口１２ａに引掛けてローラ１４を中間レール１２の内部に挿入する。そして、ローラ１４を中間レール１２内で、ローラストッパ１２ｂに当接するまで移動させる。この状態が図１０（ｂ）に示す状態であり、電子機器６はローラ１４を中心にして中間レール１２に対して揺動できる。
【００３８】
この状態で電子機器６の前端部側を下げ、図１０（ｃ）に示すように、電子機器６が中間レール１２と平行になったら、平行を保ちながら電子機器６を奥側へ押し込んでいく。すると、図１０（ｄ）に示す位置辺りでロックアームによるロックが掛かる。この動作は従来品と同様である。これによりインナーレール１３は動かなくなるので、ロックを解除して更に電子機器６をラック７に対して押し込んでいくと、図１０（ｅ）に示す位置で電子機器６のラック７への実装作業が完了する。
【００３９】
電子機器６をラック７から取り出す場合は、図１０（ａ）から（ｅ）に示す作業の逆を行えば良い。この場合は、図１０（ｄ）に示す位置でロックがかかり、電子機器６がこれより前方には引き出せなくなる。この時点ではまだインナーレール１３の側壁部は中間レール１２の側壁部に係合しているので、電子機器６の重量はスライドレール１０によって保持されている。この後、前述のロック解除動作を行って、電子機器６を更に引き出すと、インナーレール１３の側壁部１３Ｂが中間レール１２の側壁部１２Ｂによる保持から外れ、インナーレール１３はローラ１４のみによって保持される。この時、電子機器６の装置重量を作業者の腕で支えることになるが、まだローラ１４が電子機器６の後端部側を保持してくれているため、急激な負荷荷重が作業者の腕に掛かる心配は無い。
【００４０】
更に電子機器６を手前に引くとローラストッパ１２ｂにローラ１４が当たるため、この時点で電子機器６を作業者が持ち易い角度に回転させる。そして、作業者の体勢を整えてから電子機器６の装置重量を感じつつ、電子機器６をやや後方上部へ持ち上げながらローラ１４をローラ導入口１２ａから引き出せば、電子機器６をラックから取り外すことができる。
【００４１】
以上説明した実施例では、電子機器６をラック７の高いところに実装する場合でも、低いところに実装する場合でも、従来のスライドレールを用いた電子機器のラックへの実装方法に比べて、作業者の実装作業の負担を軽減することができる。
【００４２】
図１１（ａ）は本出願のスライドレール１０の第１の変形例の構成を示すものであり、スライドレール１０を正面側から見たものである。この変形例では、中間レール１２の上側の側壁部１２Ｂの前端部側の面に、上方に突出するストッパ１８が設けられている。このように中間レール１２の上側の側壁部１２Ｂの前端部側の面にストッパ１８を設けると、図１１（ｂ）に示すように中間レール１２の上側の側壁部１２Ｂの頂面に乗ったローラ１４が、中間レール１２の上側の側壁部１２Ｂの前端部から落ちなくすることができる。
【００４３】
即ち、図１１（ｃ）に示すように、作業者が電子機器６の側面に取り付けられたローラ１４を中間レール１２のローラ導入口１２ａに入れようとした場合、誤ってローラ１４を中間レール１２の上側の側壁部１２Ｂの頂面に乗せてしまうことがある。この状態を図１１（ｄ）に示す。これは、電子機器６が重かったり、作業者の身長によってはローラ１４とローラ導入口１２ａの位置関係を目視し難い場合にしばしば起こる。このような場合に作業者がローラ１４がローラ導入口１２ａに確実に入ったと勘違いして電子機器６を手前に引くと、電子機器６が落下して作業者の思わぬ怪我につながる恐れがある。ストッパ１８は、このような事故を未然に防止することができる。
【００４４】
図１２（ａ）は、本出願のスライドレール１０の第２の変形例の構成を示すものである。第２の変形例では、図１２（ａ）に拡大して示すように、中間レール１２のローラ導入口１２ａの奥側に、ローラ１４をローラ導入口１２ａに誘導しやすいテーパ部１２Ｔを設ける。このテーパ部１２Ｔにより、図１２（ｂ）に示すように、ローラ１４がローラ導入口１２ａに入る時には、手前側のローラ導入口１２ａの内周部１２Ｅに当接して下側に誘導される。また、ロ−ラ１４を中間レール１２のローラ導入口１２ａから引き出す時には、電子機器の後端部を上に持ち上げると、ローラ１４が中間レール１２の側壁部１２Ｂの天井に当たる。電子機器をそのまま奥に押し込むと、ローラ１４がテーパ部１２Ｔの先端部１２Ｓに当たり、上方に誘導される。このように中間レール１２のローラ導入口１２ａの奥側にテーパ部１２Ｔを付けることにより、電子機器のラックへの取付、取外しの操作性が向上する。
【００４５】
図１３（ａ）から（ｇ）は本出願の第２の実施例のスライドレール２０の構成を示すものである。第２の実施例のスライドレール２０は、アウターレール２１、中間レール、及びインナーレール２３とから構成される。図１３（ａ）はアウターレール２１と中間レール２２を上側から見たものであり、図１３（ｂ）はアウターレール２１と中間レール２２を正面側から見たものである。また、図１３（ｅ）は、アウターレール２１と中間レール２２を側面側から見たものである。更に、図１３（ｃ）はインナーレール２３を上方から見たものであり、図１３（ｄ）はインナーレール２３を正面側から見たものである。そして、図１３（ｆ）は図１３の（ｂ）のＤ−Ｄ線における断面を示しており、図１３（ｇ）はインナーレール１３単体を側面から見たものである。
【００４６】
第２の実施例のスライドレール２０は、第１の実施例のスライドレール１０が、スライド性の良いボールベアリング５を使用したスライドレールであったのに対して、ボールベアリングの無い板金の組み合わせのみからなる点が異なる。アウターレール２１は、平板状の本体部２１Ａと、中間レール２２をスライド保持するためのガイドとなる側壁部２１Ｂとを備えている。側壁部２１Ｂは、図１３（ｅ）に示すように断面が矩形状である。中間レール２２は、平板状の本体部２２Ａとインナーレール２３をスライド保持するためのガイドとなる側壁部２２Ｂとを備えている。側壁部２２Ｂも図１３（ｅ）に示すように断面が矩形状であり、アウターレール２１の側壁部２１Ｂの内側を摺動するようになっている。
【００４７】
そして、中間レール２２の上側の側壁部２２Ｂの先端部側に、ローラが入る大きさの切り欠きであるローラ導入口２２ａが設けられている。中間レール２２に設けられたローラ導入口２２ａは、中間レール２２の上側の側壁部２２Ｂの一部が、図１３（ｆ）に示すように切り欠かれて形成される。ローラ導入口２２ａの長さ、位置は、第１の実施例と同じである。更に、ローラ導入口２ａから先端部側の中間レール２２の端部にはローラストッパ１２ｂがある点も第１の実施例と同じである。
【００４８】
図１３（ｃ）、（ｄ）及び（ｇ）は、第２の実施例のインナーレール２３だけの構造を示すものである。図１３（ｃ）はインナーレール２３を上側から見たものであり、図１３（ｄ）はインナーレール２３を正面側から見たものである。また、図１３（ｇ）は図１３（ｃ）、（ｄ）のインナーレール２３を側面から見たものである。第２の実施例のインナーレール２３にも、平板状の本体部２３Ａと、本体部２３Ａの両側に設けられた側壁部２３Ｂがある。側壁部２３Ｂの頂面はフランジ部２３Ｆとなっており、このフランジ部２３Ｆが中間レール２３の側壁部２３Ｂの中を摺動する。側壁部２３Ｂは第１の実施例同様にインナーレール２３の後端部側には設けられていない。側壁部２３Ｂの長さは第１の実施例と同じで良い。インナーレール２３の本体部２３Ａに取付穴２３ａが複数個設けられている点も同様である。
【００４９】
インナーレール２３の平板状の本体部２３Ａの先端部に取り付けられるローラ１４の構成は第１の実施例と同じで良いので、ここではその説明を省略する。また、第２の実施例のスライドレール２０は第１の実施例のスライドレール１０からボールベアリングを取り除いただけであり、第２の実施例のスライドレール２０を用いた電子機器のラックへの実装動作は第１の実施例と同様であるので説明を省略する。そして、第２の実施例のスライドレール２０は、ボールベアリングがないので構造が簡素、且つ安価である。
【００５０】
図１４（ａ）は本出願の第３の実施例のスライドレールのインナーレール３３とローラ１４の構成を示すものである。第３の実施例のスライドレールは、第１と第２の実施例のスライドレール１０，２０におけるインナーレール１３，２３の構成のみが異なり、アウターレール１１，２１と中間レール１２，２２の構成は同じである。よって、ここでは、第１の実施例のスライドレール１０においてインナーレール１３の代わりに使用することができるインナーレール３３とローラ１４の構成のみを説明する。
【００５１】
第３の実施例のインナーレール３３は、図１４（ａ）に示すように図６（ａ）、（ｂ）に示したインナーレール１３において、本体部１３Ａのみで形成される部分を削除した構成をとる。そして、ローラ１４と回転軸１５とスペーサ１７のみが、インナーレール３３と別体で形成される。第３の実施例のインナーレール３３を用いて電子機器６をラック７に実装する場合は、図１４（ｂ）、（ｃ）に示すように、インナーレール３３は電子機器６の先端部側に取り付けられ、ローラ１４が電子機器６の後端部側に取り付けられる。ローラ１４の取付位置はインナーレール３３の延長線上であり、電子機器６の長さに合わせて電子機器６の後端部からの位置が、第１の実施例のインナーレール１３を使用した時のローラ１４の位置と同じ位置に取り付けられる。
【００５２】
第３の実施例のインナーレール３３とローラ１４を取り付けた電子機器６をラック７に実装する手順は、第１の実施例のインナーレール１３を取り付けた電子機器６をラック７に実装する手順と同じで良いので、ここではその説明を省略する。第３の実施例では、第１と第２の実施例のインナーレール１３，２３におけるローラ１４をインナーレール３３と分離する事により、電子機器６の奥行の違いに対してインナーレール３３とローラ１４とを共通部品とすることが出来、スライドレールの低コスト化に寄与する。
【００５３】
以上、本出願を特にその好ましい実施の形態を参照して詳細に説明した。本出願の容易な理解のために、本出願の具体的な形態を以下に付記する。
【００５４】
（付記１）  固定物に取り付けられるアウターレールと、前記固定物に対してスライドして移動する移動体に取り付けられるインナーレールと、前記アウターレールに対して前後方向にスライドすると共に前記インナーレールを前後方向にスライド可能にして上下方向から保持する上側及び下側の側壁部を有する中間レールとを備えるスライドレールにおいて、
前記インナーレールの後端部側の部分に平板状の平板状部を形成すると共に、該平板状部には、前記中間レール側に突出し、且つ前記中間レールに対して係合すると共にスライド可能な膨出部を形成し、
前記中間レールの上側の前記側壁部には、先端部側の端面から所定距離だけ離れた部分に前記膨出部を挿通可能な切欠部を設けたことを特徴とするスライドレール。
（付記２）  前記中間レールの前記切欠部の先端部側の端部から前記中間レールの先端ぶまでの前記上側の側壁部の長さは、前記中間レールに挿入された前記膨出部の先端部への移動時に上方への移動を阻止できる長さとしたことを特徴とする付記１に記載のスライドレール。
（付記３）  前記中間レールの先端部には、前記中間レールに挿入された前記膨出部の前記中間レールからの先端方向への抜けを防止するストッパが形成されていることを特徴とする付記１又は２に記載のスライドレール。
（付記４）  前記膨出部は前記平板状部に突設された回転軸を中心にして回転可能なローラであることを特徴とする付記１から３の何れかに記載のスライドレール。
（付記５）  前記膨出部は前記平板状部に固着された円板であることを特徴とする付記１から３の何れかに記載のスライドレール。
【００５５】
（付記６）  前記中間レールに前記インナーレールを挿入した時に、前記中間レールの前記側壁部の頂面と、前記平板状部との間には隙間があるように、前記側壁部の頂面、或いは前記膨出部を形成したことを特徴とする付記１から５の何れかに記載のスライドレール。
（付記７）  前記中間レールの上側の前記側壁部の、先端部側の端面には、上方に突出する係止突起を設けたことを特徴とする付記１から６の何れかに記載のスライドレール。
（付記８）  前記中間レールの上側の前記側壁部の、前記切欠部に隣接する後端部側の部分を下側に傾斜させてテーパ状にしたことを特徴とする付記１から７の何れかに記載のスライドレール。
（付記９）  前記アウターレールと前記中間レール、及び前記中間レールと前記インナーレールとはボールベアリングを介してスライドするように構成されていることを特徴とする付記１から８の何れかに記載のスライドレール。
（付記１０）  前記中間レールは前記アウターレールの上下に形成された側壁部に挟まれた部分をスライドし、前記インナーレールは前記中間レールに形成された側壁部に挟まれた部分をスライドするように形成されていることを特徴とする付記１から８の何れかに記載のスライドレール。
【００５６】
（付記１１）  固定物に取り付けられるアウターレールと、前記固定物に対してスライドして移動する移動体に取り付けられるインナーレールと、前記アウターレールに対して前後方向にスライドすると共に、前記インナーレールを前後方向にスライド可能に上下方向から保持する上側及び下側の側壁部を有する中間レールとを備えるスライドレールにおいて、
前記インナーレールは、前記中間レールの上側及び下側の側壁部間をスライド可能で前記中間レールよりも短いレール部と、前記中間レールの前記上側及び下側の側壁部間をスライド可能で前記レール部とは別体の、回転可能なローラを備えたローラ部とから構成し、
前記中間レールの上側の前記側壁部には、先端部側の端面から所定距離だけ離れた部分に前記ローラを挿通可能な切欠部を設け、
使用時には、前記インナーレールの前記レール部を前記移動体の前端部側に取り付けると共に、前記インナーレールの前記ローラ部を、前記インナーレールの軸線上の前記移動体の後端部側に取り付けることを特徴とするスライドレール。
（付記１２）  前記中間レールの前記切欠部の先端部側の端部から前記中間レールの先端部までの長さは、前記中間レールに挿入された前記ローラ部の先端部への移動時に上方への移動を阻止できる長さとしたことを特徴とする付記１１に記載のスライドレール。
（付記１３）  前記中間レールの先端部には、前記中間レールに挿入された前記ローラ部の前記中間レールからの抜けを防止するストッパが形成されていることを特徴とする付記１１又は１２に記載のスライドレール。
（付記１４）  前記中間レールの上側の前記側壁部の、先端部側の端面には、上方に突出する係止突起を設けたことを特徴とする付記１１から１３の何れかに記載のスライドレール。
（付記１５）  前記中間レールの上側の前記側壁部の、前記切欠部に隣接する後端部側の部分を下側に傾斜させてテーパ状にしたテーパ状部を設けたことを特徴とする付記１１から１４の何れかに記載のスライドレール。
【００５７】
（付記１６）  前記アウターレールと前記中間レール、及び前記中間レールと前記インナーレールとはボールベアリングを介してスライドするように構成されていることを特徴とする付記１１から１５の何れかに記載のスライドレール。
（付記１７）  前記中間レールは前記アウターレールの上下に形成された側壁部に挟まれた部分をスライドし、前記インナーレールは前記中間レールに形成された側壁部に挟まれた部分をスライドするように形成されていることを特徴とする付記１１から１５の何れかに記載のスライドレール。
（付記１８）  前記ローラ部が、支持軸の先端部に固着された前記ローラ部のローラと同じ大きさの円板であることを特徴とする付記１１から１７の何れかに記載のスライドレール。
【符号の説明】
【００５８】
５    ボールベアリング
６    電子機器
７    ラック
８    ロックアーム
１０    第１の実施例のスライドレール
１１    アウターレール
１２    中間レール
１２ａ    ローラ導入口
１２ｂ    ローラストッパ
１２Ａ    本体部
１２Ｂ    側壁部
１２Ｔ    テーパ部
１３    インナーレール
１３Ａ    本体部
１３Ｂ    側壁部
１４    ローラ
１７    スペーサ
１８    ストッパ
２０    第２の実施例のスライドレール
２１    アウターレール
２２    中間レール
２３    インナーレール
３３    第３の実施例のインナーレール
【図１】
2011159716.tif 000003
【図２】
2011159716.tif 000004
【図３】
2011159716.tif 000005
【図４】
2011159716.tif 000006
【図５】
2011159716.tif 000007
【図６】
2011159716.tif 000008
【図７】
2011159716.tif 000009
【図８】
2011159716.tif 000010
【図９】
2011159716.tif 000011
【図１０】
2011159716.tif 000012
【図１１】
2011159716.tif 000013
【図１２】
2011159716.tif 000014
【図１３】
2011159716.tif 000015
【図１４】
2011159716.tif 000016